(57)【要約】【課題】周辺機器の使い勝手を向上できるようなデータ記憶装置を提供する。【解決手段】ＰＶＲ１では、外部接続部１４でＰＶＲ１に接続された外部の機器に、所定の種類のデータがあると、当該所定の種類のデータが当該外部の機器から読込まれ、読込まれたデータが、ＨＤＤ６で記憶される。また、ＨＤＤ６に記憶された所定の種類のデータは、ユーザの操作に基づいて、外部接続部１４でＰＶＲ１に接続された外部の機器に書込まれる。ＰＶＲ１は、外部の機器から所定の種類のデータを読込んだ後、当該外部の機器に対して、所定の種類のデータを消去しても良い。【選択図】        図１
2004206749.tif 000002
【特許請求の範囲】
【請求項１】
データを記憶する記憶部と、
外部の機器と接続するための接続部と、
前記接続部が外部の機器と接続されている場合であって、当該外部の機器に所定の種類のデータが記憶されている場合には、当該外部の機器に記憶された当該所定の種類のデータを前記記憶部に記憶させる制御部と、
前記所定の種類を変更する情報の入力を受付けるための入力部とを含み、
前記制御部は、前記記憶部に記憶された前記所定の種類のデータを前記接続部に接続された外部の機器に記憶させるための操作がなされた場合に、前記接続部に外部の機器が接続されているか否かを判断し、接続されていると判断すると、当該外部の機器が前記記憶部に記憶された前記所定の種類のデータを記憶するための記憶容量を備えているか否かを判断し、当該記憶容量を備えていると判断すると、当該外部の機器に前記記憶部に記憶された前記所定の種類のデータを記憶させる、データ記憶装置。
【請求項２】
データを記憶する記憶部と、
外部の機器と接続するための接続部と、
前記接続部が外部の機器と接続されている場合であって、当該外部の機器に所定の種類のデータが記憶されている場合には、当該外部の機器に記憶された当該所定の種類のデータを前記記憶部に記憶させる制御部とを含む、データ記憶装置。
【請求項３】
前記所定の種類を変更する情報の入力を受付けるための入力部をさらに含む、請求項２に記載のデータ記憶装置。
【請求項４】
前記制御部は、前記接続部に接続されている外部の機器に、前記記憶部に記憶された前記所定の種類のデータを記憶させる、請求項２または請求項３に記載のデータ記憶装置。
【請求項５】
前記制御部は、前記記憶部に記憶された前記所定の種類のデータを前記接続部に接続された外部の機器に記憶させるための操作がなされた場合に、前記接続部に外部の機器が接続されているか否かを判断し、接続されていると判断すると、当該外部の機器が前記記憶部に記憶された前記所定の種類のデータを記憶するための記憶容量を備えているか否かを判断し、当該記憶容量を備えていると判断すると、当該外部の機器に前記記憶部に記憶された前記所定の種類のデータを記憶させる、請求項４に記載のデータ記憶装置。
【発明の詳細な説明】
【０００１】
【発明の属する技術分野】
本発明は、データ記憶装置に関し、特に、周辺機器の使い勝手を良くするデータ記憶装置に関する。
【０００２】
【従来の技術】
従来から、データ記憶装置について、その使い勝手を良くするため、当該データ記憶装置において記憶される内容の取扱いについて、種々の技術が開示されている。
【０００３】
たとえば、特許文献１には、データ記憶装置の一例である録画装置において、鑑賞し終わった番組映像データが記録媒体に無駄に残ってしまうことを防ぐために、記録媒体に記録された番組映像データの再生が停止されると再生された番組映像データを消去するか問合せを行なう技術が開示されている。
【０００４】
【特許文献１】
特開２００１−１９５８０７公報
【０００５】
【発明が解決しようとする課題】
しかしながら、デジタルカメラやＭＰ３（MPEG Audio Layer-3）プレイヤを代表とする、メモリを内蔵した機器であって、携帯性を重視された機器、または、小型の機器では、その記憶内容の取扱いについて、使い勝手を良くするための工夫をこらすことは困難であった。このような機器では、電源が携帯用のものとされていることにより、本来の機能で動作するのが精一杯で、記憶内容に対する特別な動作をするのが困難であったり、使い勝手を良くする目的で記憶内容を取扱うための十分な数の操作ボタンや十分な大きさの表示装置を設けることが困難であったりするためである。
【０００６】
本発明は、上述したかかる実情に鑑み考え出されたものであり、その目的は、従来今一歩使い勝手の向上が困難であった上記の機器が周辺機器として接続された場合に、当該機器の使い勝手を向上できるようなデータ記憶装置を提供することである。
【０００７】
【課題を解決するための手段】
本発明のある局面に従ったデータ記憶装置は、データを記憶する記憶部と、外部の機器と接続するための接続部と、前記接続部が外部の機器と接続されている場合であって、当該外部の機器に所定の種類のデータが記憶されている場合には、当該外部の機器に記憶された当該所定の種類のデータを前記記憶部に記憶させる制御部と、前記所定の種類を変更する情報の入力を受付けるための入力部とを含み、前記制御部は、前記記憶部に記憶された前記所定の種類のデータを前記接続部に接続された外部の機器に記憶させるための操作がなされた場合に、前記接続部に外部の機器が接続されているか否かを判断し、接続されていると判断すると、当該外部の機器が前記記憶部に記憶された前記所定の種類のデータを記憶するための記憶容量を備えているか否かを判断し、当該記憶容量を備えていると判断すると、当該外部の機器に前記記憶部に記憶された前記所定の種類のデータを記憶させることを特徴とする。
【０００８】
本発明の他の局面に従ったデータ記憶装置は、データを記憶する記憶部と、外部の機器と接続するための接続部と、前記接続部が外部の機器と接続されている場合であって、当該外部の機器に所定の種類のデータが記憶されている場合には、当該外部の機器に記憶された当該所定の種類のデータを前記記憶部に記憶させる制御部とを含むことを特徴とする。
【０００９】
また、本発明に従ったデータ記憶装置は、前記所定の種類を変更する情報の入力を受付けるための入力部をさらに含むことが好ましい。
【００１０】
また、本発明に従ったデータ記憶装置は、前記制御部は、前記接続部に接続されている外部の機器に、前記記憶部に記憶された前記所定の種類のデータを記憶させることが好ましい。
【００１１】
また、本発明に従ったデータ記憶装置は、前記制御部は、前記記憶部に記憶された前記所定の種類のデータを前記接続部に接続された外部の機器に記憶させるための操作がなされた場合に、前記接続部に外部の機器が接続されているか否かを判断し、接続されていると判断すると、当該外部の機器が前記記憶部に記憶された前記所定の種類のデータを記憶するための記憶容量を備えているか否かを判断し、当該記憶容量を備えていると判断すると、当該外部の機器に前記記憶部に記憶された前記所定の種類のデータを記憶させることが好ましい。
【００１２】
【発明の実施の形態】
以下、図面を参照しつつ、本発明のデータ記憶装置の実施の形態の一例であるパーソナルビデオレコーダ（Personal Video Recorder : 以下、ＰＶＲと略す）について説明する。なお、以下の説明では、同一の部品には、特記された場合を除き、同一の符号が付され、それらの名称および機能も同じである。したがって、それらについての詳細な説明は繰り返さない。
【００１３】
図１は、ＰＶＲ１の制御ブロック図である。ＰＶＲ１は、当該ＰＶＲ１の動作を全体的に制御するＣＰＵ（Central Processing Unit）２を備えている。
【００１４】
また、ＰＶＲ１は、ＲＯＭ（Read Only Memory）３、ＲＡＭ（Random Access Memory）４、映像記憶部５、ＨＤＤ（Hard Disk Drive）６、映像入力部７、Ａ／Ｄコンバータ（Analog Digital Converter）８、アンテナ９、入力部１０、リモートコントローラ（リモコン）１１、映像出力部１２、Ｄ／Ａコンバータ（Digital Analog Converter）１３、および、外部接続部１４を備えている。
【００１５】
ＲＯＭ３には、一般の情報処理装置に設置された場合と同様にＣＰＵ２が実行するべきプログラム等と共に、ＰＶＲ１に接続された外部の機器に記憶されるデータの中でＰＶＲ１側で自動的に記憶するデータの種類についての情報が、記憶されている。データの種類とは、たとえば、画像データの種類であれば、ＧＩＦ（Graphic Interchange Format）、ＪＰＥＧ（Joint Photographic Experts Group）等が挙げられ、音声データの種類であれば、ＭＰ３等が挙げられ、この他にも、動画等のマルチメディアデータの種類等も含む。
【００１６】
ＲＡＭ４は、ＣＰＵ２のワークエリアとして機能する。映像記憶部５は、ＨＤＤ６に情報を記録させるためのものである。映像入力部７は、アンテナ９で受信されＡ／Ｄコンバータ８でデジタルデータに変換された映像等の各種のデータをＣＰＵ２に入力するためのものである。
【００１７】
入力部１０は、ユーザがＰＶＲ１に対して情報を入力するためのものであり、たとえば単数または複数のキー操作部により構成される。リモコン１１は、ＰＶＲ１本体から離間した場所からＰＶＲ１に入力するための情報を送信するものであり、入力部１０に設けられた受信部（図示略）に向けて情報を送信する。入力部１０では、リモコン１１から受信した情報も、上記したキー操作部から入力された情報と同様に処理される。
【００１８】
映像出力部１２は、ＣＰＵ２の制御に基づいて、外部の表示装置に向けて、Ｄ／Ａコンバータ１３を介して映像（および音声）のデータを出力するものである。なお、本実施の形態では、ＰＶＲ１が表示装置を含まないように記述されているが、ＰＶＲ１が表示装置と一体的に、つまり、ＰＶＲ１が表示装置を含むように構成されていてもよい。
【００１９】
外部接続部１４は、ＰＶＲ１が外部の機器と接続される際のインターフェイスとなる部分であり、たとえば、ＵＳＢ（Universal Serial Bus）端子等により構成される。
【００２０】
図２は、ＣＰＵ２のメインルーチンのフローチャートである。
図２を参照して、ＣＰＵ２は、Ｓ１で、ユーザのＰＶＲ１に対する操作があったか否かを判断する。ＰＶＲ１に対する操作とは、具体的には、入力部１０またはリモコン１１を用いた情報の入力である。ＣＰＵ２は、操作があったと判断するとＳ３へ、操作が無いと判断するとＳ２へ、それぞれ処理を進める。
【００２１】
Ｓ２では、ＣＰＵ２は、外部接続部１４でＰＶＲ１に接続された外部の機器からデータを読込む読込み処理を実行した後、Ｓ１に処理を戻す。読込み処理の詳細については、後述する。
【００２２】
Ｓ３では、ＣＰＵ２は、ユーザの操作が書出し処理の実行を指示する操作であるか否かを判断する。そして、ＣＰＵ２は、書出し処理の実行を指示する操作であると判断するとＳ５へ、それ以外の処理を指示する操作であればＳ４へ、それぞれ処理を進める。Ｓ４では、ＣＰＵ２は、ユーザの操作に応じた処理を実行した後、Ｓ１に処理を戻す。
【００２３】
Ｓ５では、ＣＰＵ２は、外部接続部１４でＰＶＲ１に接続された外部の機器へデータを書込む書出し処理を実行した後、Ｓ１に処理を戻す。書出し処理の詳細については、後述する。
【００２４】
図３は、図２のＳ２の読込み処理のサブルーチンのフローチャートである。
図３を参照して、読込み処理では、ＣＰＵ２は、まずＳ２１で、外部機器の接続調査を行なう。外部機器の接続調査とは、外部接続部１４に外部の機器が接続されているか否かの調査である。
【００２５】
そして、ＣＰＵ２は、Ｓ２２で、Ｓ２１における調査結果を参照し、外部の機器が接続されている場合にはＳ２４へ、されていない場合にはＳ２３へ、それぞれ処理を進める。
【００２６】
Ｓ２３では、ＣＰＵ２は、外部の機器が接続されていない旨の情報を表示装置に表示させて、メインルーチンへ処理をリターンさせる。
【００２７】
Ｓ２４では、ＣＰＵ２は、接続されている外部の機器に対応するファイルが記憶されているか否かを判断し、記憶されていると判断するとＳ２６へ、記憶されていないと判断するとＳ２５へ、それぞれ処理を進める。ここで、対応するファイルとは、上記したようにＲＯＭ３に記憶されているデータの種類のファイルである。
【００２８】
Ｓ２５で、ＣＰＵ２は、対応するファイルが無い旨の情報を表示装置に表示させて、メインルーチンへ処理をリターンさせる。
【００２９】
Ｓ２６で、ＣＰＵ２は、外部の機器が記憶している対応するファイルを、外部接続部１４を介して読込み、そして、当該ファイルを映像記憶部５を用いてＨＤＤ６に書込む。そして、読込みおよび書込みが終了すると、Ｓ２７で、ＣＰＵ２は、それらの結果を示す情報を表示装置に表示させて、メインルーチンへ処理をリターンさせる。
【００３０】
図４は、図２のＳ５の書出し処理のサブルーチンのフローチャートである。なお、ユーザが、入力部１０またはリモコン１１に対して書出し処理を実行するための操作を行なうと、ＣＰＵ２は、表示装置に、図５に示すような、Ｓ２４で判断の対象とされた「対応するファイル」の一覧を、画面を表示させる。図５の画面５０には、画像１〜画像１０までの１０種類の画像データが表示されている。また、画面５０内には、ボタン５１〜５４が表示されている。
【００３１】
ボタン５１に対してユーザが操作すると、書出し処理の実行が確定され、図４に示された書出し処理が開始される。ボタン５２に対してユーザが操作すると、ＰＶＲ１が画面５０内の表示レイアウト等の設定ができる状態となる。ボタン５３に対してユーザが操作すると、ＰＶＲ１が書出し処理に対する条件設定ができる状態となる。ボタン５４に対してユーザが操作すると、ＰＶＲ１が書出し処理の実行をキャンセルされた状態となる。
【００３２】
図４を参照して、書出し処理では、ＣＰＵ２は、まずＳ５１で、Ｓ２１と同様に外部機器の接続調査を行なう。
【００３３】
次に、ＣＰＵ２は、Ｓ５２で、Ｓ５１の調査の結果を参照して、外部機器が接続されていればＳ５４へ、接続されていなければＳ５３へ、それぞれ処理を進める。
【００３４】
Ｓ５３で、ＣＰＵ２は、表示装置に、図６の画面６０のように、外部機器が接続されていない旨の画面を表示させて、メインルーチンへと処理をリターンさせる。図６の画面６０には、外部機器が接続されていない旨のメッセージを含む欄６１が含まれている。
【００３５】
Ｓ５４で、ＣＰＵ２は、接続されている外部機器の記憶装置に、画面５０に表示されたような「対応するファイル」を記憶するだけの十分な空き容量があるか否かを判断し、十分な空き容量があると判断するとＳ５６へ、無いと判断するとＳ５５へ、それぞれ処理を進める。
【００３６】
Ｓ５５で、ＣＰＵ２は、表示装置に、図７の画面７０に示すように、外部機器には十分な空き容量が無い旨の画面を表示させて、メインルーチンへと処理をリターンさせる。図７の画面７０には、外部機器に十分な空き容量が無い旨のメッセージを含む欄７１が含まれている。
【００３７】
Ｓ５６で、ＣＰＵ２は、接続されている外部機器に、外部接続部１４を介して、画面５０に表示されたような「対応するファイル」の書込む。そして、当該書込みが終了すると、ＣＰＵ２は、Ｓ５７で、表示装置に、図８の画面８０のように、書込みの結果を表示させて、メインルーチンへと処理をリターンさせる。図８の画面８０には、書込みが終了した旨のメッセージを含む欄８１が含まれている。なお、書込みが失敗した場合には、Ｓ５７で表示される画面８０の欄８１には、失敗した旨のメッセージが含まれる。
【００３８】
以上説明した本実施の形態では、Ｓ２４（図３参照）で判断の対象となる「対応するファイル」についてのデータの種類は、ＲＯＭ３に、ＰＶＲ１の出荷時から記憶されていた。しかしながら、本発明はこれに限定されず、ＰＶＲ１は、入力部１０および／またはリモコン１１を操作されることにより、当該データの種類を変更するための情報をＨＤＤ６等の不揮発性の記録媒体に記録し、当該変更後の情報に基づいてＳ２４の判断を実行できるように構成されていてもよい。
【００３９】
また、以上説明した本実施の形態において、Ｓ２４で行なわれるデータの種類の判断は、外部の機器に記憶されているデータの拡張子を判断することにより行なわれても良いし、当該データの先端部分を判断対象としてもよいし、接続された外部の機器自体の種類を判断することにより行なわれても良い。
【００４０】
また、ＰＶＲ１は、外部の機器から読込んだデータ、または、当該データに対応する情報（当該データが音声データであれば、データファイル名等）を、いわゆるスライドショーのように、順番に表示させる機能を備えていてもよい。
【００４１】
さらに、ＰＶＲ１は、Ｓ２６で外部の機器からデータを読込んだ後、当該外部の機器に対して読込んだデータを消去するような動作を行なっても良い。また、この消去の動作は、ユーザからの指示があったときのみ行なうようにされても良い。
【００４２】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【００４３】
【発明の効果】
本発明によると、外部の機器がデータ記憶装置に接続されると、当該外部の機器における所定の種類のデータの有無が検索され、当該所定の種類のデータが存在する場合に、当該所定の種類のデータがデータ記憶装置側に記憶される。これにより、外部の機器において、当該所定の種類のデータの加工等の取扱いが不便な場合であっても、当該取扱いを、データ記憶装置という他の装置で行なうことができる。したがって、本発明のデータ記憶装置により、接続された外部の機器の使い勝手を向上できる。
【００４４】
また、本発明によると、データ記憶装置に記憶されるデータの種類を、任意に変更することができるため、データ記憶装置における処理を、ユーザの希望に沿ったものとできる。
【００４５】
また、本発明によると、データ記憶装置に接続されている外部の機器に、逆に、データを記憶させることができる。つまり、外部の機器における記憶内容の整理を、総合的に、データ記憶装置を用いて行なうことができる。
【００４６】
また、本発明によると、外部の機器へのデータの記憶が、当該外部の機器にデータを記憶する容量が確保されていることを条件として行なわれるため、データ記憶装置において、無駄な処理が行なわれることを回避できる。
【図面の簡単な説明】
【図１】本発明のデータ記憶装置の実施の形態の一例であるパーソナルビデオレコーダの制御ブロック図である。
【図２】図１のＣＰＵのメインルーチンのフローチャートである。
【図３】図２の読込み処理のサブルーチンのフローチャートである。
【図４】図２の書込み処理のサブルーチンのフローチャートである。
【図５】図１のパーソナルビデオレコーダにおける処理により表示装置に表示される画面の一例を示す図である。
【図６】図１のパーソナルビデオレコーダにおける処理により表示装置に表示される画面の一例を示す図である。
【図７】図１のパーソナルビデオレコーダにおける処理により表示装置に表示される画面の一例を示す図である。
【図８】図１のパーソナルビデオレコーダにおける処理により表示装置に表示される画面の一例を示す図である。
【符号の説明】
１  パーソナルビデオレコーダ、２  ＣＰＵ、３  ＲＯＭ、４  ＲＡＭ、５  映像記憶部、６  ＨＤＤ、７  映像入力部、８  Ａ／Ｄコンバータ、９  アンテナ、１０  入力部、１１  リモートコントローラ、１２  映像出力部、１３  Ｄ／Ａコンバータ、１４  外部接続部。
【図１】
2004206749.tif 000003
【図２】
2004206749.tif 000004
【図３】
2004206749.tif 000005
【図４】
2004206749.tif 000006
【図５】
2004206749.tif 000007
【図６】
2004206749.tif 000008
【図７】
2004206749.tif 000009
【図８】
2004206749.tif 000010